(57)【要約】【課題】  撮り直し作業を楽にする。【解決手段】  最初の撮影時に、撮影光学系１２のカメラ情報（例えば、ズーム倍率）を撮影映像と一緒に記録媒体２８に記録しておく。記録媒体２８に記録済みの映像から、撮り直しモードの参照映像を指定する。撮り直しモードでは、参照映像に付加されるカメラ情報に従い撮影光学系１２のズーム倍率を制御し、撮影映像に参照映像の再生画像を合成して、表示装置２２の画面に表示する。【選択図】  図１
2008072192.tif 000002
【特許請求の範囲】
【請求項１】
撮影時のカメラ情報が付加された参照映像を再生しながら記録動作を行う記録再生装置であって、
記録開始の指示に応じて、当該参照映像の当該カメラ情報に従いカメラを制御するカメラ制御手段と、
記憶媒体から再生された当該参照映像を、当該記録開始の指示に応じて当該カメラからの映像信号に合成して表示する合成表示手段と、
当該カメラからの映像信号を当該記憶媒体に記録する記録処理手段
とを具備することを特徴とする記録再生装置。
【請求項２】
前記カメラ情報は、前記カメラのズーム倍率を示すズーム情報であることを特徴とする請求項１に記録再生装置。
【請求項３】
前記カメラ情報は、前記カメラのズームの実行を示すズームフラグであることを特徴とする請求項１に記録再生装置。
【請求項４】
カメラからの映像信号を、撮影時のカメラ情報と共に記憶媒体に記憶するステップと、
当該記憶媒体に記録された映像から参照映像を指定するステップと、
記録開始の指示に応じて、当該参照映像の当該カメラ情報に従いカメラを制御するステップと、
当該記憶媒体から再生された当該参照映像を、当該記録開始の指示に応じて当該カメラからの映像信号に合成して表示するステップと、
当該記録開始の指示に応じて、当該カメラからの映像信号を当該記憶媒体に記録するステップ
とを具備することを特徴とする記録再生方法。
【請求項５】
更に、ユーザの指示に応じて、当該参照映像の当該カメラ情報に従う当該カメラの制御をキャンセルするステップを具備することを特徴とする請求項４に記載の記録再生方法。
【請求項６】
更に、当該参照映像の終了の所定時間前から、当該参照映像の終了までの時間を表示するステップを具備することを特徴とする請求項４又は５に記載の記録再生方法。
【請求項７】
更に、
当該参照映像の当該カメラ情報をその実施タイミングに先行して表示するステップと、
先行して表示される当該カメラ情報に従い当該カメラの制御の即時実行を指示するステップと、
当該カメラの制御の即時実行に従い、当該参照映像の再生位置を、先行して表示される当該カメラ情報の画面までスキップするステップ
とを具備することを特徴とする請求項４乃至６の何れか１項に記載の記録再生方法。
【発明の詳細な説明】
【技術分野】
【０００１】
本発明は、映像信号を記録再生する記録再生装置及びその方法に関する。
【背景技術】
【０００２】
今日のデジタルビデオカメラなどの映像信号を記録する記録装置において、光ディスク、ハードディスク又はフラッシュメモリなどのランダムアクセス可能な記憶媒体を採用するものが登場している。これらの記録媒体を用いることによって、従来の磁気テープ方式では困難であった映像信号の同時記録・再生が比較的容易に行えるようになってきている。
【０００３】
また、サムネイル表示等のユーザインターフェースの充実も相まって、操作面での性能も向上し、記録データを任意に指定して再生又は消去することも容易に行うことが可能となっている。
【０００４】
撮り直しが可能な動画撮影では、同じ又は類似したシーンを複数回、撮影し、それら録画の中で最適なものを選択することが行われる。このような撮り直しを行う場合、以前に撮影された映像を見ながら比較撮影を行いたいといった要求も想定される。特許文献１には、手本となる画像を予め指定しておき、撮影時にその指定画像を再生し、その再生画像と撮影画像を見ながら撮影を行うことが可能な撮影装置が記載されている。
【特許文献１】特開２００４−２２８８０３号公報
【発明の開示】
【発明が解決しようとする課題】
【０００５】
動画撮影の場合、静止画撮影とは異なり、時間の経過により種々の撮影パラメータ、例えば、ズーム、フォーカス、撮影方向及びカメラ位置等を操作する必要がある。従って、以前に撮影したシーンと同様のカメラワークを再現するのは、カメラ撮影に不慣れな場合には困難である。
【０００６】
特に、映画製作やプロモーションビデオ作成のように、ある目的としたシーンを撮影する場合に、例えば被写体となる人物の動作、表情等に不満があったり、意図しない人物や物体の乱入又はノイズの混入といった突発的な外乱も想定される。すなわち、撮り直しが発生する状況は多く考えられる。こうした状況下では、撮り直しであってもほぼ決まったシーンを撮影し直す可能性が高いので、先に撮影されたシーンと撮り直しを行うシーンとでは撮影映像もカメラワークも近いものとなる。
【０００７】
そこで、本発明は、先に撮影されたシーンをリアルタイムにモニタしながら、なお且つ、先の撮影シーンと同じカメラワークでの撮り直しを行える記録再生装置及びその方法を提示することを目的とする。
【課題を解決するための手段】
【０００８】
上記の目的を達成するために、本発明に係る記録再生装置は、撮影時のカメラ情報が付加された参照映像を再生しながら記録動作を行う記録再生装置であって、記録開始の指示に応じて、当該参照映像の当該カメラ情報に従いカメラを制御するカメラ制御手段と、記憶媒体から再生された当該参照映像を、当該記録開始の指示に応じて当該カメラからの映像信号に合成して表示する合成表示手段と、当該カメラからの映像信号を当該記憶媒体に記録する記録処理手段とを具備することを特徴とする。
【０００９】
本発明に係る記録再生方法は、カメラからの映像信号を、撮影時のカメラ情報と共に記憶媒体に記憶するステップと、当該記憶媒体に記憶された映像から参照映像を指定するステップと、記録開始の指示に応じて、当該参照映像の当該カメラ情報に従いカメラを制御するステップと、当該記憶媒体から再生された当該参照映像を、当該記録開始の指示に応じて当該カメラからの映像信号に合成して表示するステップと、当該記録開始の指示に応じて、当該カメラからの映像信号を当該記憶媒体に記録するステップとを具備することを特徴とする。
【発明の効果】
【００１０】
本発明によれば、撮り直しモードでは、参照映像の撮影時のカメラ情報、例えばズーム倍率に従ってカメラを制御するので、同じカメラ制御条件下で撮り直しを行える。参照映像と撮影映像の合成表示により、両者を対比しながら、撮影を行える。
【発明を実施するための最良の形態】
【００１１】
以下、図面を参照して、本発明の実施例を詳細に説明する。
【実施例１】
【００１２】
図１は、本発明の一実施例である撮像装置の概略構成ブロック図である。ただし、実線は画像データ等のデータの流れを示し、破線はイネーブル信号等の制御信号を示す。
【００１３】
撮像装置１０は、デジタルスチルカメラ、デジタルビデオカメラ等である。撮像装置１０は、撮影光学系１２、撮像素子１４、Ａ／Ｄ（アナログ・デジタル）変換器１６、映像信号処理装置１８、Ｄ／Ａ（デジタル・アナログ）２０、映像表示装置２２、符号化復号化装置２４、記録再生処理装置２６、記憶媒体２８、操作装置３０、ＣＰＵ３２、メモリ３４及びタイマ３６を具備する。
【００１４】
撮影光学系１２は光学レンズ及び絞りを具備し、被写体の光学像を撮像素子１４に入射する。撮影光学系１２は、自動合焦のためのフォーカシングレンズ、及び光学ズームのためのズームレンズを具備する。ＣＰＵ３２は、周知の方法で、撮影光学系１２のフォーカシングレンズを駆動して、撮影光学系１２を合焦状態に制御し、また、ズームレンズを制御して所望のズーム値に撮影光学系１２を制御する。なお、シャッタ機能は、撮像素子１４の露光期間制御で実現しても、機械シャッタで実現しても、どちらでもよい。
【００１５】
撮像素子１４は、レンズ光学系１２からの光学像を電気信号に変換する。撮像素子１４は、例えば、ＣＣＤ（Charge Coupled Devices）撮像素子又はＣＭＯＳ（Complementary Metal Oxide Semiconductor）撮像素子等からなる。
【００１６】
Ａ／Ｄ変換器１６は、撮像素子１４からの電気画像信号をデジタル信号に変換する。映像信号処理装置１８は、Ａ／Ｄ変換器１６からのデジタル画像信号にカメラで周知の信号処理（例えば、ガンマ補正、色バランス調整、輝度／色分離）等を施す。また、映像信号処理装置１８は合成処理装置を具備し、Ａ／Ｄ変換器１６からの画像データと、後述する符号化復号化装置２４からの再生画像とを、図２に示すように、任意又は所定の透過比率で多重合成できる。又は、図３に示すように、ピクチャ・イン・ピクチャ（ＰｉｎＰ）方式で合成できる。
【００１７】
さらに、映像信号処理装置１８は、文字情報等を画像に合成するＯＳＤ（On-Screen Display）処理部を内蔵し、画像信号に任意の文字情報又は図形情報を合成し、その合成画像信号をＤ／Ａ変換器２０及び／又は表示装置２２に供給できる。表示装置２２は、例えば、液晶表示パネル（ＬＣＤ）である。
【００１８】
符号化復号化装置２４は、符号化回路２４ａと復号化回路２４ｂを具備する。符号化回路２４ａは、ＭＰＥＧ（Moving Picture Experts Group phase）２、ＭＰＥＧ４、Ｈ．２６４／ＡＶＣ等の圧縮方式で、映像信号処理装置１８からのデジタル画像信号を圧縮符号化し、圧縮データを生成する。なお、圧縮方式はＭｏｔｉｏｎ  ＪＰＥＧ（Joint Photographic Experts Group）やＪＰＥＧ２０００など、その他の方式を用いても良い。また、復号化回路２４ｂは、記録再生回路２６からの再生された圧縮画像データを伸長する。
【００１９】
記録再生処理装置２６は記録処理装置２６ａと再生処理装置２６ｂを具備する。記録処理装置２６ａは、符号化復号化装置２４からの圧縮画像データとその付加データを記録形式にしたがって処理して、記憶媒体２８に記録する。再生処理装置２６ｂは、記憶媒体２８から圧縮画像データをその付加データと共に記憶媒体２８から読み出し、圧縮画像データを復号化装置２４ｂに、付加データをＣＰＵ３２に供給する。また、記録処理装置２６ａは、記録すべきデータを誤り訂正符号化し、再生処理装置２６ｂは、記憶媒体２８から読み出したデータの誤りを誤り訂正符号を使って訂正する。
【００２０】
記憶媒体２８は、不揮発性半導体メモリ、ＨＤＤ（Hard Disk Drive）等の磁気ディスク、又はＤＶＤ（Digital Versatile Disk）等に準拠する記録再生可能な光ディスクからなる。
【００２１】
操作装置３０は、レリーズスイッチ、動画像撮影スイッチ、再生／停止スイッチ、モードダイヤル、メニューボタン、十字キー及び決定ボタン等を具備する。ユーザ操作により、静止画像撮影、動画像撮影、動画像の再生の開始と停止、撮像モード、記録モード及び再生モード等の動作モードの切替え、並びに、各種設定画面の表示と各種メニューの選択と決定等をＣＰＵ３２に指示するのに使用される。
【００２２】
ＣＰＵ３２は、撮像装置１０を構成する各部を制御する。メモリ３４は、ＣＰＵ３２で実行される処理手順等に対応したプログラムと所要のデータテーブルを記憶するＲＯＭ（Read Only Memory）と、ＣＰＵ３２のワークバッファとして利用されるＲＡＭ（Random Access Memory）と、電源オフ時にも設定値を保持するＥＥＰＲＯＭ（Electronically Erasable and Programmable Read Only Memory）等から構成されている。タイマ３６は動作時刻を計時する。タイマ３６はまた、設定時刻からの経過時間を計測するのにも使用される。
【００２３】
次に、本実施例の基本動作を説明する。構図を確認するだけで画像を記録しない撮像モードでは、撮像素子１４は、撮影光学系１２による光学像に対応する画像信号を出力する。Ａ／Ｄ変換器１６は、撮像素子１４からの画像信号をデジタル化し、映像信号処理装置１８に出力する。映像信号処理装置１８は、Ａ／Ｄ変換器１６の出力画像信号に周知のカメラ信号処理を施す。映像信号処理装置１８の出力画像データは、表示装置２２に印加される。このとき、ユーザは、表示装置２２の画面上で、被写体とその構図を確認できる。
【００２４】
記録モードでは、映像信号処理装置１８は、Ａ／Ｄ変換器１６からの画像データにカメラ信号処理を施して得られる画像データを表示装置２２と符号化復号化装置２４の符号化装置２４ａに供給する。符号化装置２４ａは、映像信号処理装置１８の出力画像データを圧縮符号化し、圧縮画像データを記録再生処理装置２６の記録処理装置２６ａに供給する。記録処理装置２６ａは、圧縮画像データと、その付加データ、例えば、撮影日時及びカメラ情報（ズーム倍率及びズーム・フラグ）等も記録形式にまとめて、記憶媒体２８に書き込む。このようにして、撮影された画像の圧縮画像データと、ズーム状態で撮影された画像であることを示すズームフラグ及び撮影された画像の各シーンに対応するズーム倍率情報等の付加データが、記憶媒体２８に格納される。図４は、ズームフラグＺＦＬＧとズーム倍率の格納形式を示す。ズームフラグＺＦＬＧに１ビット使い、ズーム倍率に７ビットを割り当てている。時間的に連続する一連の画像が、一つの動画像、即ち、一つの映像を形成する。
【００２５】
再生モードでは、ＣＰＵ３２は、ユーザの指示に従い、記録再生処理装置２６の再生処理装置２６ｂに、指示された映像の読み出しを指示する。再生処理装置２６ｂは、ユーザにより指示された映像の圧縮画像データとその付加データを記憶媒体２８から読み出し、圧縮画像データを符号化復号化装置２４の復号化装置２４ｂに供給し、付加データをＣＰＵ３２に供給する。復号化装置２４ｂは、再生処理装置２６ｂからの圧縮データを伸長して、画像データを復元し、復元した画像データを映像信号処理装置１８に供給する。映像信号処理装置１８は、復号化装置２４ｂからの復元された画像データを表示装置２２に供給する。これにより、再生画像が表示装置２２の画面に表示される。再生画像を外部に出力する場合、映像信号処理装置１８は、復号化装置２４ｂからの復元された画像データをＤ／Ａ変換器２０に供給する。Ｄ／Ａ変換器２０は、映像信号処理装置１８からのデジタル画像信号をアナログ画像信号に変換して、出力する。
【００２６】
本実施例の特徴的な動作である撮り直しモードでの動作を説明する。図５は撮り直しモードの設定画面例を示し、図６は、記憶媒体２８に格納されている画像データのサムネイル表示例である。
【００２７】
ユーザがメニューボタンを押すと、図５に示すような設定画面が表示される。設定画面は、撮り直しモードメニュー５０、画面設定メニュー５２、及び参照映像メニュー５４を具備する。
【００２８】
撮り直しモードメニュー５０では、撮り直しモードを有効（ＯＮ）にするか無効（ＯＦＦ）にするかを設定する。撮り直しモード５０で「ＯＮ」が選択されると、メニュー５２乃至５４の選択が可能となる。
【００２９】
画面設定メニュー５２では、画面表示形態として、「多重」か「ＰｉｎＰ」のいずれか一方を選択できる。例えば、メニュー５２で「多重」が選択されると、図２に示すような、再生画像と、撮影画像を半透過状態で合成した画像が表示される。メニュー５２で「ＰｉｎＰ」が選択されると、図３に示すようなピクチャ・イン・ピクチャ形式で、撮影画像の隅に再生画像が小さく重ねて表示される。
【００３０】
参照映像メニュー５４では、記憶媒体２８に記録済みの映像から撮り直し時に参照する映像、即ち参照映像を指定する方法を選択できる。例えば、メニュー５４で「指定」を選択すると、図６に例示するように、記憶媒体２８に記録済みの映像がそのシーン名ごとにサムネイルで表示され、ユーザは、その中から参照映像を選択する。選択された映像は、参照映像として登録され、「シーン名」に表示される。ここで、ユーザにより参照映像の指定が行われなかった場合には、記憶媒体２８に記録済みの映像の内で、最も新しい映像が選択される。
【００３１】
メニュー５０乃至５４の選択と決定には、それぞれ操作装置３０の十字キーと決定ボタンを使用する。特に、決定ボタンが押されると同時に、設定内容がメモリ３４に保存される。
【００３２】
本実施例の撮り直しモードでは、録画済み画像の中で指定した映像（参照映像）の再生画像を参照しながら、被写体を撮影し、録画できる。しかも、参照映像の撮影時のカメラ情報に従って、カメラを自動制御するので、同じ撮影条件で、撮影を行える。
【００３３】
図７は、撮り直しモードの準備動作（スタンバイ）のフローチャートを示し、図８は、撮り直しモードの録画時の動作フローチャートを示す。図９は、本実施例の撮影映像、参照映像及び表示映像の時間経過を示すイメージ図である。図９では、参照映像は、ＰｉｎＰで撮影映像と合成されている。
【００３４】
ユーザが撮り直しモードを有効に設定した状態で、記録モードへの移行をＣＰＵ３２に指示すると、図７に示すフローが開始される。ＣＰＵ３２は、予め映像元メニュー５４で指定した参照映像の付加データを記憶媒体２８から先読みする（Ｓ１）。そして、ＣＰＵ３２は、先読みした付加データのカメラ情報に基づくズーム倍率に、撮影光学系１２のズーム倍率を初期設定する（Ｓ２）。即ち、参照映像を撮影したときと同じズーム倍率で、撮影光学系１２の光学ズームを初期化する。勿論、記録映像の再生、特に復号化によるタイムラグを考慮すべきときには、記憶媒体２８からの読み出しと復号化装置２４ｂでの復号化を、そのタイムラグを解消できる程度に先行して実行しておく。
【００３５】
図８は、撮り直しモードでの、撮影映像の記録動作と参照映像の再生動作のフローチャートを示す。ユーザの記録開始操作で、図８に示すフローが開始し、参照映像が再生され、同時に、撮影映像が記憶媒体２８に記録される。
【００３６】
撮り直しモードでは、参照映像の録画時のカメラ情報（参照カメラ情報）に従って撮影光学系１２を自動制御する。この動作を自動カメラ制御と呼ぶ。但し、本実施例では、撮り直しモード中に、自動カメラ制御を無効化するユーザ操作が行われると（Ｓ１０）、この自動カメラ制御が解除される（Ｓ１１）。すなわち、ステップＳ１０で、撮影光学系１２の自動制御を解除できる。解除後には、撮影光学系１２は、参照カメラ情報とは無関係に操作される。
【００３７】
自動カメラ制御が有効な状態では、ＣＰＵ３２は、記憶媒体２８から参照カメラ情報を逐次、先行して読み出す。そして、シーンが進展することによって参照カメラ情報が更新され（Ｓ１２）、更新後のカメラ情報の実行タイミングになると（Ｓ１３）、変更後のカメラ情報で撮影光学系１２を制御し、カメラ情報、ここではズーム倍率を表示装置２２に表示する（Ｓ１４）。即ち、参照映像の撮影時のカメラ情報に従って、撮影光学系１２を自動制御する。ここで表示されるカメラ情報は、次の更新まで表示され続ける。参照カメラ情報が更新されず（Ｓ１２）、又は、実行タイミングに到達していないときには（Ｓ１３）、ステップＳ１４をパスする。
【００３８】
自動カメラ制御を解除している場合（Ｓ１１）、自動カメラ制御を実行した場合（Ｓ１４）、又は、自動カメラ制御の実行タイミングを待機している場合（Ｓ１２，Ｓ１３）、参照映像の再生終了の一定時間前、例えば、１０秒前になると（Ｓ１５）、再生終了時間のカウントダウンを表示する（Ｓ１６）。
【００３９】
ユーザによる記録終了操作がなく（Ｓ１７）、且つ、自動カメラ制御が有効であれば（Ｓ２１）、ステップＳ１０に戻る。ユーザによる記録終了操作がなく（Ｓ１７）、且つ、自動カメラ制御が無効であれば（Ｓ２１）、ステップＳ１５に戻る。
【００４０】
ユーザによる記録終了操作があると（Ｓ１７）、図１０に示すような、参照映像の削除の要否をユーザに問い合わせる画面が表示装置２２に表示される（Ｓ１８）。この画面で、ユーザは、撮り直しモードで使用した参照映像を記憶媒体２８から削除するか否かを選択する（Ｓ１９）。ユーザが削除を選択すると（Ｓ１９）、記憶媒体２８から参照映像のデータ（画像データと付加データ）が削除され（Ｓ２０）、ユーザが削除を選択しないと（Ｓ１９）、記憶媒体２８の参照映像のデータが保存される。
【００４１】
このように、本実施例では、撮り直しモードでは、記憶媒体２８に記録済みの参照映像のカメラ情報（ここでは、ズーム倍率）に従って、撮影光学系１２を自動制御するので、参照映像と全く同じカメラ操作を自動でなぞることができ、撮り直し作業が楽になる。勿論、自動カメラ制御を解除することで、映像のみを参照し、カメラ操作を独自に行うようにすることもできる。
【００４２】
撮り直しモードでの撮影の終了後に、参照映像の削除の要否をユーザに選択させる画面を表示するので、不要な参照映像のデータを記録終了のタイミングで速やかに削除できる。
【実施例２】
【００４３】
図１１は、撮り直しモードにおける別の動作フローチャートを示す。図８と同じ処理のステップには同じ符号を付してある。具体的には、図８のステップＳ１３，Ｓ１４を、図１１のステップＳ３１〜Ｓ３５に変更する。図１１のステップＳ３６は、図８のステップＳ１８〜Ｓ２０と同内容からなる。図１２は、図１１に従う撮影映像と参照映像の時間変化のイメージ図を示す。
【００４４】
変更部分であるステップＳ３１〜Ｓ３５を詳細に説明する。カメラ情報の更新があり（Ｓ１２）、その実行の３秒前になったら（Ｓ３１）、次に実行すべきカメラ操作を表示する（Ｓ３２）。そして、次のカメラ操作の実行タイミングになるか、又は、ユーザの実行指示があると（Ｓ３３）、ステップＳ１４と同様に、変更後のカメラ情報で撮影光学系１２を制御し、カメラ情報、ここではズーム倍率を表示装置２２に表示する（Ｓ３４）。即ち、参照映像の撮影時のカメラ情報に従って、撮影光学系１２を自動制御する。ここで表示されるカメラ情報は、次の更新まで表示され続ける。そして、実行したカメラ情報のフレームに参照映像の再生位置をジャンプする（Ｓ３５）。即ち、カメラ操作を早期に実行した分、参照映像の再生をスキップする。
【００４５】
参照カメラ情報が更新されないときには（Ｓ１２）、ステップＳ３１〜Ｓ３５はパスされる。また、実行タイミングに到達せず、且つ、早期実行の指示もないときには（Ｓ３３）、ステップＳ３４，Ｓ３５がパスされる。
【００４６】
本実施例では、参照映像のカメラ操作をいわば、早送りできる。同様の操作で、カメラ操作を遅らせるようにすることも可能である。カメラ操作を遅らせた場合に、遅れた時間だけ、参照映像の同じ画像を表示すればよい。
【００４７】
カメラ制御の一例としてズーム操作の実施例１，２を説明したが、電動雲台によりカメラの撮影方向を変更できる場合、又は、レール上でカメラを移動できる場合に、そのカメラの撮影方向又は位置の制御にも、本発明は、適用可能である。
【図面の簡単な説明】
【００４８】
【図１】本発明の実施例１である撮像装置の概略構成ブロック図である。
【図２】多重合成表示例である。
【図３】ピクチャ・イン・ピクチャの表示例である。
【図４】記憶媒体２８に画像データに付加されるカメラ情報（ズーム倍率）のフォーマット例である。
【図５】撮り直しモードの設定画面である。
【図６】記憶媒体２８に記録済みの映像のサムネイル表示例である。
【図７】撮り直しモードのスタンバイ時の動作フローチャートである。
【図８】撮り直しモードの録画動作のフローチャートである。
【図９】実施例１の撮影映像、参照映像及び合成映像の遷移を示すイメージ図である。
【図１０】参照映像の削除画面である。
【図１１】実施例２の撮り直しモードの録画動作のフローチャートである。
【図１２】実施例２の撮影映像、参照映像及び合成映像の遷移を示すイメージ図である。
【符号の説明】
【００４９】
１０  撮像装置
１２  撮影光学系
１４  撮像素子
１６  Ａ／Ｄ（アナログ・デジタル）変換器
１８  映像信号処理装置
２０  Ｄ／Ａ（デジタル・アナログ）変換器
２２  表示装置
２４  符号化復号化装置
２４ａ  符号化装置
２４ｂ  復号化装置
２６  記録再生処理装置
２６ａ  記録処理装置
２６ｂ  再生処理装置
２８  記憶媒体
３０  操作装置
３２  ＣＰＵ
３４  メモリ
３６  タイマ
【図１】
2008072192.tif 000003
【図２】
2008072192.tif 000004
【図３】
2008072192.tif 000005
【図４】
2008072192.tif 000006
【図５】
2008072192.tif 000007
【図６】
2008072192.tif 000008
【図７】
2008072192.tif 000009
【図８】
2008072192.tif 000010
【図９】
2008072192.tif 000011
【図１０】
2008072192.tif 000012
【図１１】
2008072192.tif 000013
【図１２】
2008072192.tif 000014